(57)【要約】液晶表示投射システムは、光の繰り返し３色シーケンス（１３）のソースと；同じ駆動信号に応答する第１イメージャ（２２）及び第２イメージャ（２０）と；光のＰ偏光３色シーケンス及び光のＳ偏光３色シーケンスに前記光の繰り返し３色シーケンスを分離するための少なくとも第１偏光ビームスプリッタ（１４）であって、前記光のＳ偏光３色シーケンスは前記第１イメージャを照明し、前記光のＰ偏光３色シーケンスは前記第２イメージャを照明する、第１偏光ビームスプリッタ（１４）と；前記第１イメージャに導かれたＰ偏光を取り除くための第１フィルタ（２６）と；前記第２イメージャから反射されたＰ偏光を取り除くための第２フィルタ（２４）と；を有し、前記少なくとも第１偏光ビームスプリッタは前記第１イメージャから反射された前記光と、出力として前記第２フィルタによりフィルタリングされた前記光とを結合する。
2005531794.tif 000002
【特許請求の範囲】
【請求項１】
光の繰り返し３色シーケンスを供給する手段；
各々が同じ駆動信号に応答する第１イメージャ（２２）及び第２イメージャ（２０）；
光のＰ偏光３色シーケンス及び光のＳ偏光３色シーケンスに前記光の繰り返し３色シーケンスを分離するための少なくとも第１偏光ビームスプリッタ（１４）であって、前記光のＳ偏光３色シーケンスは前記第１イメージャを照明し、前記光のＰ偏光３色シーケンスは前記第２イメージャを照明する、第１偏光ビームスプリッタ（１４）；
前記第１イメージャに導かれたＰ偏光を取り除くための第１フィルタ（２６）；並びに
前記第２イメージャから反射されたＰ偏光を取り除くための第２フィルタ（２４）；
を有する液晶表示投射システム（１０）であって、
前記少なくとも第１偏光ビームスプリッタは前記第１イメージャから反射された前記光と、出力として前記第２フィルタによりフィルタリングされた前記光とを結合する；
ことを特徴とする液晶表示投射システム。
【請求項２】
請求項１に記載の液晶表示投射システムであって、第１イメージャ及び第２イメージャはシリコン（ＬＣＯＳ）表示装置における液晶である、ことを特徴とする液晶表示投射システム。
【請求項３】
請求項１に記載の液晶表示投射システムであって、前記第１イメージャ及び前記第２イメージャのみから構成される、ことを特徴とする液晶表示投射システム。
【請求項４】
請求項１に記載の液晶表示投射システムであって、前記システムは投射レンズから更に構成される、ことを特徴とする液晶表示投射システム。
【請求項５】
請求項４に記載の液晶表示投射システムであって、少なくとも第１偏光ビームスプリッタ（ＰＢＳ）は、第１ＰＢＳと、第２イメージャの方に第１ＰＢＳから分割されたＳ偏光を導くための第２ＰＢＳ（１８）と、第４ＰＢＳの方に第１イメージャから反射されたＳ偏光を導くための第３ＰＢＳ（１６）とから構成され、第４ＰＢＳ（２０）は第１イメージャから反射されたＳ偏光と投射レンズの方に第２イメージャからのＰ偏光とを導く、ことを特徴とする液晶表示投射システム。
【請求項６】
請求項５に記載の液晶表示投射システムであって、前記システムは、第３ＰＢＳと第１イメージャとの間の第１の１／４波長板（２３）と第２ＰＢＳと第２イメージャとの間の第２の１／４波長板（２３）とから更に構成される、ことを特徴とする液晶表示投射システム。
【請求項７】
請求項４に記載の液晶表示投射システムであって、少なくとも第１偏光ビームスプリッタ（ＰＢＳ）はワイヤグリッド偏光子（５２）から構成される、ことを特徴とする液晶表示投射システム。
【請求項８】
請求項３に記載の液晶表示投射システムであって、前記システムは、少なくとも第１ＰＢＳと未偏光光（１２）のソースとの間に置かれたカラーホイールから構成される、ことを特徴とする液晶表示投射システム。
【請求項９】
各々が同じ駆動信号に応答する第１イメージャ（２２、２０）及び第２イメージャ（５６、５８）のみ；
Ｐ偏光とＳ偏光とに光を実質的に分離するための手段であって、前記Ｓ変更は前記第１イメージャを照明し、前記Ｐ偏光は前記第２イメージャを照明する、手段；
前記第１イメージャに導かれたＰ偏光を取り除くための第１フィルタ（２４）；並びに
前記第２イメージャから反射されたＰ偏光を取り除くための第２フィルタ；
を有することを特徴とする光エンジン構成（５０）。
【請求項１０】
請求項９に記載の光エンジン構成であって、前記システムは未偏光光（１２）のソースから更に更新される、ことを特徴とする光エンジン構成。
【請求項１１】
請求項１０に記載の光エンジン構成であって、前記分離するための手段は偏光ビームスプリッタ（ＰＢＳ）から構成される、ことを特徴とする光エンジン構成。
【請求項１２】
請求項９に記載の光エンジン構成であって、前記システムは光の繰り返し３色シーケンスを供給するための手段から更に構成され、前記光の繰り返し３色シーケンスは前記第１イメージャと前記第２イメージャの両方を照明する、ことを特徴とする光エンジン構成。
【請求項１３】
請求項９に記載の光エンジン構成であって、前記分離するための手段はワイヤグリッド偏光子（５２）から構成される、ことを特徴とする光エンジン構成。
【請求項１４】
請求項９に記載の光エンジン構成であって、前記システムは投射レンズから更に構成される、ことを特徴とする光エンジン構成。
【請求項１５】
請求項９に記載の光エンジン構成であって、前記実質的に分離するための手段は、第１ＰＢＳ（１４）と、第２イメージャの方に第１ＰＢＳから分割されたＳ偏光を導くための第２ＰＢＳ（１８）と、第４ＰＢＳ（２０）の方に第１イメージャから反射されたＳ偏光を導くための第３ＰＢＳ（１６）と、含む４つの偏光ビームスプリッタ（ＰＢＳ）であって、第４ＰＢＳは第１イメージャから反射されたＳ偏光と投射レンズの方に第２イメージャからのＰ偏光とを導く、４つの偏光ビームスプリッタ（ＰＢＳ）から構成される、ことを特徴とする液晶表示投射システム。
【請求項１６】
立体的にみられることができるピクチャを生成するための方法であって：
前記システムに入射する光の繰り返し３色シーケンスを、光のＰ偏光３色シーケンスと光のＳ偏光３色シーケンスとに分離する段階；
前記光のＰ偏光３色シーケンスと前記光のＳ偏光３色シーケンスとを別々に、しかし同じ駆動信号に応じて、反射変調する段階；
前記変調段階の前に、Ｓ偏光からＰ偏光の迷光を取り除く段階；
前記変調段階の後に、反射Ｓ偏光からＰ偏光の迷光を取り除く段階；並びに
前記反射変調された光及びフィルタリングされた光により投射レンズを照明する段階；
から構成されることを特徴とする方法。
【請求項１７】
請求項１６に記載の方法であって、光の繰り返し３色シーケンスを生成する段階から更に構成される、ことを特徴とする方法。
【請求項１８】
請求項１６に記載の方法であって、前記変調段階の間に２つの偏光ビームのみを反射変調する段階から更に構成される、ことを特徴とする方法。
【発明の詳細な説明】
【技術分野】
【０００１】
本発明は、投射システムのための光エンジンの分野に関し、特に、光スループットを増加させる光エンジンアーキテクチャに関する。
【背景技術】
【０００２】
光を利用し易い形態に変換する主光学システムを必要とする、投影システムにおける既存技術は不十分である。アークランプ及び他の類似するソースは、本質的に出力において広帯域であり、それ故、投射のために有用である赤、緑及び青色光のみならず、赤外光、紫外光及び非三原色光も又、生成する。このような光を処理するために使用されるカラーフィルタは非効率であるため、広帯域の色であって、それ故、狭い色空間につながる。アークランプのようなソースは又、ランダム“混合”偏光を生成し、それ故、偏光分離を処理するために付加的な光学システム成分を必要とする。更に“エテンデュー（Ｅｔｅｎｄｕｅ）”をエンハンスするために、インテグレータ及びコリメータの複雑なシステムが、（アークランプのような）ソースからの収束ビームを均一な矩形形状照明に変換される必要がある。エテンデューは、一般に、放射面又は受光面の放射束密度と面積との積として知られている。これは、全体的なエネルギーバランスを制御するために、発光（反射又は透過）エネルギーについての絶対値を決定するために用いられる。更に、ランプからの光は本質的に白であるので、投射システムに対して必要な赤、緑及び青色光を生成するために専用のダイクロイックフィルタが必要である。上記の問題点を克服するために必要とされるハードウェア全ての結果として、典型的な光エンジンにより光の適切なスループットを達成する目的のためには、大きい塊の光学システムが必要とされる。光エンジンにより光のスループットを増加させるための既存のスキーム全てをもってしても、最もよいシステムが達成するスループットは４０乃至６０％の範囲内である。多くの既存のシステムは各々の色に対して単一のＬＣＯＳパネルを使用し、ＰＢＳアレイ及び他の効果又は非効率なスキームのような偏光リカバリシステムを使用して、照射の適切な偏光が最大限になるように試みている。それ故、光に関してシステムスループットを実質的に増加させる一方、最小コストで済むような光エンジンに対する要請が存在する。
【０００３】
他のシステムは、２つ以上のイメージャ又は少なくとも４つのイメージャを必要とする各々の色のためのパネルを利用する。イメージャのうち３つは、第４のイメージャを位置合わせされる必要がある。３つのイメージャの各々は、６つの動きの程度に関して位置合わせされる必要がある。これは、画素サイズがほんの１０μｍのオーダーであり、各々のイメージャの各々のそれぞれの画素は鮮明なピクチャを得るために完全に位置合わせされなければならないが、各々のイメージャは光エンジンの温度が上昇するにつれて熱応力及び移動の影響を受け易い。それ故、システムスループットを実質的に増加させるばかりでなく、組み立て、位置合わせしそして操作するためにコストがあまり掛からず且つ複雑にならない、光エンジンに対する要請が更に存在する。
【０００４】
又、既存の立体表示装置は、典型的には、立体画像をみるために特別な眼鏡を必要とすることに留意する必要がある。幾つかの技術は、単色ピクチャを左眼画像と右眼画像とに分離するように赤と緑を用いることを含む。これは、赤及び緑のビューアーを持っている場合に機能する。他の技術は、画像に同期させて切り替えるＬＣＤシャッタを組み込んだ眼鏡を用いるフレームシーケンシャル左眼画像及び右眼画像である。その眼鏡は能動的であるため、電力及び制御回路、並びに表示装置からのタイミング信号を必要とする。他の技術は、左眼画像と右眼画像とに分離するように偏光を有する。これは、映画において使用される技術である。電子表示装置を用いるそのような用途は、あまり普及していないが、フレームシーケンシャル画像と表示装置の前面の電気的切り替え偏光子とを用いて実現されることができる。その実施は、フレームシーケンシャルＣＲＴ表示におけるカラーを得るためにフィルタが用いられるＬＣＤに匹敵するものである。後の２つの方法はフレームシーケンシャル左画像及び右画像を必要とする。画像が他方に切り替えられるとき、１つの眼における残像は表示において残っていないことが重要である。それ故、それらは、現在の技術を用いて、速いＣＲＴ表示と共に実施されることができる。それ故、特殊レンズを必要としない偏光を用いて、立体画像をみる方法に対する要請が更に存在する。
【発明の開示】
【課題を解決するための手段】
【０００５】
本発明の第１の特徴において、立体画像を生成するための装置は、少なくとも第１イメージャ及び第２イメージャと、Ｓ偏光からＰ偏光を実質的に分離し、第１イメージャにＰ偏光を及び第２イメージャにＳ偏光を導くための少なくとも第１偏光ビームスプリッタと、から構成される。このシステムは、第１イメージャから反射されるいずれのＰ偏光の実質的な部分を透過するための第１フィルタと、少なくとも第１偏光ビームスプリッタにより分割されたＳ偏光におけるいずれのＰ偏光の実質的な部分を透過するための第２フィルタと、から更に構成される。
【０００６】
本発明の第２の特徴において、光エンジン構成は、少なくとも第１イメージャ及び第２イメージャと、Ｓ偏光からＰ偏光を実質的に分離し且つ第１イメージャにＰ偏光を第２イメージャにＳ偏光を導く手段と、から構成される。光エンジン構成は、第１イメージャから反射されるいずれのＰ偏光の実質的な部分を透過するための第１フィルタと、実質的に分離する手段により分割されたＳ偏光におけるいずれのＰ偏光の実質的な部分を透過するための第２フィルタと、から更に構成される。
【０００７】
本発明の第３の特徴において、液晶表示投射システムにおいて輝度を増加させる方法は、システムに未偏光光を入射する段階と；入射された未偏光光からのＳ偏光からＰ偏光を分離する段階と；、第１イメージャにＰ偏光を導き、Ｐ変更の迷光に対して反射Ｓ変更をフィルタリングした後に投射レンズの方に第１イメージャから反射されたＳ偏光を導く段階と；Ｐ偏光の迷光に対してＳ偏光をフィルタリングした後に第２イメージャの方にＳ偏光を導き、投射レンズの方に第２イメージャから反射された反射Ｐ偏光を導く段階と；から構成される。
【発明を実施するための最良の形態】
【０００８】
図１を参照するに、光エンジンにおけるシステムスループットを著しく増加させるための新規なアーキテクチャ１０を示している。この開示したアーキテクチャは、更に、光の輝度の点で、システムスループットを著しく増加させる。既存のシステムが単一パネル又はイメージャを用いてスループットを増加させるように試みている一方、本発明は少なくとも第２パネル又はイメージャを使用する。システムに第２パネルを付加することとデジタルマイクロミラーデバイス（ＤＭＤ）タイプのシステムを用いてなされるようなカラーホイールを用いることとは、全光束を効果的に２倍にする。未偏光光はシステムに入射される。Ｐ偏光は第１ＰＢＳにおいてＳ偏光から分離され、Ｐ偏光は一のイメージャに進み、Ｓ偏光は他のイメージャに進む。従って、１つのイメージャ又はパネルを付加することにより取り入れられる偏光リカバリが得られる。付加的なパネルが必要なためにコストアップとなり、２つの分離したイメージャの正確な位置合わせを達成するための方法が必要である。付加的なイメージャのコストは全体的なコストの節約により十分に埋め合わせすることができる。更に、本発明は又、必要とされる構成要素の数を減少させることができ、偏光を用いる立体的システムを可能にする。２つのパネルは、システムスループットをエンハンスするために同じ信号を用いて駆動されることができ、例えば光出力を２倍にすることができる。それに代えて、２つのイメージャは、上記の立体的効果を得るために、２つの異なる信号により駆動されることが可能である。
【０００９】
そのようなシステムは、本発明が２つのイメージャのみを用いて具現化することができ、４つ又はそれ以上のイメージャを有するシステムと略同様に向上した光スループットを
提供することができる。
【００１０】
液晶表示投射システム、アーキテクチャ又はシステム１０は、少なくとも第１イメージャ２２と第２イメージャ２０とから構成される。好適には、これらのイメージャは液晶又はシリコン（ＬＣＯＳ）表示装置である。システム１０は、Ｓｈｅｎｎｋｏｕ  ｋａｒａＰ偏光を実質的に分離し、第１イメージャ２２にＰ偏光を及び第２イメージャ２０にＳ偏光を導くために、少なくとも第１偏光ビームスプリッタ１４から構成される。それに加えて、このシステムは、第１イメージャ２２から反射されたいずれのＰ偏光の実質的な部分を透過するための第１フィルタと、少なくとも第１偏光ビームスプリッタ（ＰＢＳ）１４により分離されたＳ偏光においていずれのＰ偏光の実質的な部分を透過するための第２フィルタと、から構成される。好適には、このシステムは、第１ＰＢＳ１４と、第２イメージャの方に第１ＰＢＳから分離されたＳ偏光を導くための第２ＰＢＳと、第４ＰＢＳ２０の方に第１イメージャから反射されたＳ偏光を導くための第３ＰＢＳと、第４ＰＢＳと、を含む４つのＰＢＳを含み、第４ＰＢＳ２０は、投射レンズ２８の方に第２イメージャからＰ偏光と第１イメージャから反射されたＳ偏光とを導く。そのようなシステムにおいて、液晶表示投射システム１０は、好適には、第３ＰＢＳ１６及び第１イメージャ２２の間に第１の１／４波長板２３と、第２ＰＢＳ１８及び第２イメージャ２２の間に第２の１／４波長板２１と、を更に含む。下で説明するように、ワイヤグリッド偏光子を使用するシステムにおいては、１／４波長板を使用することを不必要にすることが可能である。このシステムは、アークランプのような未偏光光１２のソースと、少なくとも第１ＰＢＳと未偏光光のソースとの間に置かれる回転可能カラーホイール１３と、から更に構成される。アークランプとカラーホイールとは、例えば、赤、緑、青、赤、緑、青、等の色付きの光の繰り返しシーケンスを提供する手段である。回転ホイールとイメージャに供給される対応する駆動信号は、先行技術において既知であるように、同期される。
【００１１】
本発明のシステムの１つの基本的な優位性は、たとえ、エテンデューが偏光分割により増加するとしても、第２イメージャは、システムエテンデューを増加させ、信号Ｓ１及びＳ２が同じ駆動信号であるときに照射の増加にシステムを適合させるために用いられるため、輝度の損失に終わることはない。又は、信号Ｓ１及びＳ２は、立体視経験に基づく偏光を生成するために異なるようにすることができる。立体的実施形態においては、ユーザは、偏光眼鏡のみが必要であり、ＬＣＤシャッタは必要ない。このデュアルパネルシステムは、付加される機械的複雑さと第２パネル及びパネルのために対応するドライバの位置合わせとを必要とする。
【００１２】
図１を再び参照するに、レンズのすぐ前の出力部における分析器又は入力部におけるクリーンアップ偏光子を設ける必要がないため、第１フィルタ２６及び第２フィルタ２４は、先行技術において重大な問題であった、画像コントラストを増加させる。第１フィルタ及び第２フィルタは、各々のチャネルにおいてクリーンアップ偏光子として機能する。これらクリーンアップ偏光子の役割については、ガラスＰＢＳの代わりのワイヤグリッドＰＢＳについて、下で説明する他の実施形態における多くの例において、更に説明する。本発明の意図するところの範囲内で、付加的なフィルタを使用することが可能であることは、理解される必要がある。例えば、ＰＢＳ１４とＰＢＳ１６との境界面間及びＰＢＳ１８とＰＢＳ２０との境界面間における付加的フィルタ（図示せず）は、同様にコントラストを更に改善し、更なる不所望の偏光からの照明を除去することが可能である。これらのフィルタは、染料系偏光子又はワイヤグリッド偏光子とすることが可能である。又、画像に反射される光の中に設定されるフィルタ又は偏光子は、画像から残留偏光を除去するために用いられる分析器としての機能を果たすことに留意する必要がある（ＰＢＳ１８とＰＢＳ２０との間に位置付けられるフィルタ２６又は任意のフィルタ（図示せず）参照）。イメージャは不完全であり、直線光の代わりの楕円偏光した光を反射して戻すことが可能であるため、ここで説明する付加的フィルタは、その光のイメージング経路にあるＰＢＳが残留偏光を十分に除去しないとき、適切である。
【００１３】
図２を参照するに、光エンジン構成又はシステム５０は、Ｍｏｘｔｅｃ社製のワイヤグリッド偏光子（ＷＧＰ）から構成されることができる。ＷＧＰは、ガラス基板上に一連の間隔が密のアルミニウムバーを形成することにより構成される。換言すれば、ＷＧＰは、優れたＰＢＳに寄与するガラス基板上の薄い層のアルミニウムワイヤから構成される。ＰＢＳとして、このグリッドは、直交偏光状態の光を透過する間に、一の偏光状態の光を反射する。ＷＧＰの入り組んだ構成と結合されたこの反射特性は投射システムにおける多くの新しい用途を可能にする。ＷＧＰはガラスＰＢＳより安価である。示しているようなＷＧＰを、シート構造に構成することができ、又は、他の構成要素の間に挟むことができる。ワイヤグリッドＰＢＳについては、典型的なＰ偏光の透過率は８５％（青色チャネル、入射角４５°）であり、それ故、Ｐ偏光の１５％はＰＢＳから反射される。システム５０は、矢印５１がシステム５０への入力として供給される未偏光光を表している照明のための直結経路における第１イメージャ５６とワイヤグリッド偏光子５２とを含む。第２イメージャ５８は、全ての反射経路における照明を受ける。直結経路については、入力照明からのＰ偏光の０．８５２＝０．７２２５が第１イメージャ５６に達する。黒状態において、第１イメージャは、理想的には、Ｐ偏光全てを反射し、出力において、システムから出る前に、ＷＧＰ５２において２回跳ね返る。従って、黒状態の光スループットは０．８５２ｘ０．１５２である。白状態については、第１イメージャ５６は、Ｓに偏光が回転し、次いで、Ｓに対する代表的な反射係数は０．０３３であるため、白状態の光スループットは０．８５２ｘ０．９９６７２であり、それ故、コントラストは、最終的に、０．９９６７２／０．１５２＝４４：１となり、ここで、コントラストは白状態光スループットを黒状態光スループットにより除することにより得られる。残念ながら、コントラスト比は極めて小さい。同様な計算により、他のチャネルに対して同じ結果が正確に与えられる。低コントラストに対する主な寄与は、破線の矢印により表されている両方のワイヤグリッドＰＢＳにおけるＰ偏光による。
【００１４】
本発明は、クリーンアップ偏光子又はフィルタ５４を付加することにより、両方のチャネルにおいて２つの反射されたＰ偏光状態をキャンセルすることにより、コントラストをエンハンスする。染料偏光子は、染料偏光子の表面における放射照度が染料偏光子を破壊しない場合に、使用されることが可能であるが、好適には、ワイヤグリッド偏光子は、ＰｒｏｆｌｕｘブランドのＷＧＰのように使用される。好適には、高透過率ＷＧＰは方向合わせされることができ、それ故、高透過率ＷＧＰは、Ｐ偏光の０．１０％のみを透過し、両方のチャネルにおけるＰ偏光の第１反射の後に置かれることが可能である。この場合、黒レベルは０．８５２ｘ０．１５２ｘ０．００１まで下がり、白状態は０．８５２ｘ０．９９６７２ｘ０．８３５まで下がり、ここで、０．８３５は白状態偏光に対する高透過率ワイヤグリッド偏光子の典型的な透過率である。この場合のコントラストは、３５０００：１である。従って、クリーンアップ偏光子又はフィルタ５４を用いない場合、コントラストの損失は、黒状態におけるＰ偏光の高残留反射のための結果である。クリーンアップ偏光子を用いる場合、コントラストを５００乃至１０００倍に高めることができる。又、図２の実施形態においてＷＧＰを使用することにより、従来のガラスＰＢＳを使用した図１の実施形態において使用した１／４波長板の必要性を除去することができる。又、ＷＧＰ５２及び５４それぞれにおけるワイヤ５３及び５５を有するグリッドは、好適には、図２に示したように方向合わせされる必要がある、ことに留意する必要がある。
【００１５】
図３を参照するに、液晶表示投射システムにおける輝度を増加させる方法１００を示すフロー図である。段階１０２において、未偏光光がシステムに入射する。任意に、段階１０３において、第１イメージャ及び第２イメージャは、立体視に基づいて偏光を生成するために異なる信号を用いて駆動されることが可能である。他の任意の段階１０４において、未偏光光は、システムに未偏光光が入射する前に、回転カラーホイールに作用させることが可能である。次いで、段階１０５において、Ｐ偏光は、入射した未偏光光からのＳ偏光から分離される。段階１０６において、Ｐ偏光は第１イメージャに導かれ、第１イメージャから反射された反射Ｓ偏光は、Ｐ偏光の迷光に対して反射Ｓ偏光をフィルタリングした後、投射レンズの方に導かれる。図２に示すように、破線の矢印はＰ偏光の迷光を示している。段階１０８において、Ｓ偏光は、Ｐ偏光の迷光に対してＳ偏光をフィルタリングし、投射レンズの方に第２イメージャから反射された反射Ｐ偏光を導いた後に、第２イメージャの方に導かれる。この時点で、第１イメージャ及び第２イメージャから反射された光は、段階１１０において結合されることができる。画像が適切に変調された場合、第１イメージャ及び第２イメージャは、偏光を用いて立体画像を生成するために結合されることができる。
【００１６】
本発明は、以上、説明したように、本発明は同時提出の請求の範囲の範囲内の無数の異なる他の構成において説明することが可能であり、他のイメージャがＬＣＯＳマイクロディスプレー以外に使用されることが可能である。本発明は、以上説明した実施形態と関連して説明したが、上記の説明は例証することを意図したものであって、同時提出の請求の範囲により基底される本発明の範囲を限定するものではないことは理解される必要がある。
【図面の簡単な説明】
【００１７】
【図１】本発明に従った光エンジンアーキテクチャのブロック図である。
【図２】本発明に従ったワイヤグリッド偏光子を使用する他の光エンジンアーキテク    チャのブロック図である。
【図３】本発明に従って、任意に画像を立体的にみることができ、光エンジンにおけ    る輝度を増加する方法を示すフロー図である。
【図１】
2005531794.tif 000003
【図２】
2005531794.tif 000004
【図３】
2005531794.tif 000005
【国際調査報告】
2005531794.tif 000006
2005531794.tif 000007